(57)【特許請求の範囲】
【請求項１】
本体ケース１の上部に設けたかみそりヘッド２が、本体ケース１に対して弾性材３１で上下浮動自在に支持してある電気かみそりであって、
本体ケース１とかみそりヘッド２との間に、かみそりヘッド２の上下位置を切り換えて、前記弾性材３１によるかみそりヘッド２の押し下げ反力を複数段に変更する切換機構Ｒが設けてあり、
切換機構Ｒが、本体ケース１の外面に設けた操作具６２と、本体ケース１に配置されて上下動できる枠体６１とを含み、
枠体６１を操作具６２で上下に切り換え操作して、かみそりヘッド２を、通常の浮動位置Ｒ１と、弾性材３１によるかみそりヘッド２の押し下げ反力が増強された少なくとも１個の規制位置Ｒ２とに上下操作でき、
かみそりヘッド２を構成するモーター台２２の下部に、突起８１を備えた一対の脚片８０が突設されており、
枠体６１は、突起８１と係合する係合部６７を備えた一対の腕部６４と、腕部６４どうしを繋ぐ枠基部６６とを一体に備えており、
枠体６１と、本体ケース１で左右スライド自在に案内支持した操作具６２とが、操作具６２の左右スライド動作を上下動作に変換するカム構造６３を介して連結してあることを特徴とする電気かみそり。
【請求項２】
切換機構Ｒが、本体ケース１の外面に設けた操作具６２と、本体ケース１に配置されて上下動できる枠体６１とを含み、
枠体６１を操作具６２で上下に切り換え操作して、かみそりヘッド２を、全浮動を許す浮動位置Ｒ１と、浮動動作を規制する少なくとも１個の規制位置Ｒ２とに上下操作できる請求項１に記載の電気かみそり。
【請求項３】
弾性材が、かみそりヘッド２を浮動支持するばね３１と、本体ケース１とかみそりヘッド２との間を水密状に封止する成形パッキン１５とからなる請求項２に記載の電気かみそり。
【請求項４】
枠体６１が本体ケース１の前面壁と左右側壁との内面に沿って上下動自在に摺動案内されており、
モーター台２２の下部両側に設けた左右一対の脚片８０と、枠体６１の左右一対の腕部６４とが、かみそりヘッド２の前後中心に位置する突起８１と溝６７を介して連結されて、かみそりヘッド２が前後、および左右方向へも浮動できる請求項１、２または３に記載の電気かみそり。
【請求項５】
カム構造６３が、操作具６２の内面に回転自在に軸支したローラー７５と、枠基部６６に設けられて、前記ローラー７５で押し下げ操作されるカム部６８とからなる請求項１、２、３または４に記載の電気かみそり。
【請求項６】
枠体６１が金属板材を素材とするプレス成形品からなり、枠基部６６に階段状のカム部６８が形成してある請求項１乃至５のいずれかひとつに記載の電気かみそり。
【請求項７】
本体ケース１の前面に設けた内外壁１ａ・１２ａの間に枠体６１を収容して、枠体６１が上下スライド自在に案内支持されており、
外壁１２ａの外面に配置した操作具６２が、外壁１２ａに設けたスライド溝７４と、内壁１ａに設けたローラー７５用のガイド凹部７６とで左右スライド自在に案内支持されている請求項１乃至６のいずれかひとつに記載の電気かみそり。
【請求項８】
本体ケース１の前面に設けた内外壁１ａ・１２ａのいずれか一方に、他方の壁と接当して両壁１ａ・１２ａの対向間隔を一定に維持するリブ７１が設けてある請求項１乃至７のいずれかひとつに記載の電気かみそり。
【請求項９】
リブ７１で枠体６１を左右遊動不能にスライド案内している請求項８に記載の電気かみそり。
【発明の詳細な説明】
【０００１】
【発明の属する技術分野】
本発明は、かみそりヘッドが本体ケースに対して浮動可能に支持してある電気かみそりに関する。
【０００２】
【従来の技術】
この種の電気かみそりは、例えば特開２０００−１４９４３公報に公知である。そこでは、モーターをかみそりヘッドと一体に設けて、かみそりヘッドの全体をケース本体に対してばねで浮動可能に支持している。ケース本体とモーターケースとの間は防水シールでシールしてある。
【０００３】
【発明が解決しようとする課題】
上記のように、かみそりヘッドを浮動支持した電気かみそりによれば、外刃の肌に対する追随しやすさを高めて滑らかな肌触りが得られるうえ、肌が傷付きにくい。しかし問題がない訳ではない。この種の電気かみそりでは、かみそりヘッドが肌に密着した状態のまま浮き沈みするため、比較的短いひげを深ぞりする場合に使いにくい。詳しくは、深ぞりする場合には、ばねの弾性に逆らってかみそりヘッドを肌に強く押し付け続ける必要があるが、僅かとは言え、ばねの反発力の分だけ余分な押し付け力が必要で、使い勝手に改善の余地がある。また、かみそりヘッドが肌に密着した状態のまま浮き沈みするため、長いひげやくせ毛をそる際等に、くせ毛や長いひげが肌にそって押し倒されてしまい、ひげ切断を効果的に行えないことがある。
【０００４】
本発明では、かみそりヘッドを浮動支持した電気かみそりに特有の、上記のような問題点を解消するために、かみそりヘッドの浮動動作を抑止することを検討している。この種の特性変更に関して、電気かみそりの基本構造は異なるが、ひげ切断用のユニットの突出量を大小に変更可能とすることが特開昭６２−１７２９８７号公報に公知である。そこでは、伏せ皿状の外刃と、外刃の上壁内面で回転する内刃とでひげ切断用のユニットを構成し、このユニットのケースに対する突出量を複数段に変更して、ひげ切断ユニットの特性を個人の好みに応じて変更している。
【０００５】
本発明の目的は、かみそりヘッドを浮動支持した電気かみそりにおいて、かみそりヘッドの浮動状態を切り換えて押し下げ反力を変更できるようにし、以て使用者のひげや肌の状態などに対応して、常に軽快にひげそりを行える電気かみそりを提供することにある。本発明の他の目的は、かみそりヘッドの浮動状態を円滑に切り換え操作できる切換機構でありながら、その構造の簡素化を実現し、切換機構を備えた電気かみそりをより低コストで提供することにある。本発明の他の目的は、切換機構をコンパクトに組むことができ、その分だけ電気かみそりを小型化することにある。本発明の他の目的は、切換機構の配置形態を最適化して、かみそりヘッドの浮動状態の切り換えを軽快に行えるうえ、かみそりヘッドを前後、あるいは左右方向へも浮動支持できる電気かみそりを提供することにある。本発明の他の目的は、切換機構の構成部材のそれぞれを円滑に案内支持でき、かみそりヘッドの浮動状態の切り換えを、常に安定した状態の許に行える信頼性に優れた電気かみそりを提供することにある。
【０００６】
【課題を解決するための手段】
本発明の電気かみそりは、本体ケース１の上部に設けたかみそりヘッド２が、本体ケース１に対して弾性材３１で上下浮動自在に支持してある。本体ケース１とかみそりヘッド２との間に、かみそりヘッド２の上下位置を切り換えて、前記弾性材３１によるかみそりヘッド２の押し下げ反力を複数段に変更する切換機構Ｒを設ける。
【０００７】
上記の切換機構Ｒは、本体ケース１の外面に設けた操作具６２と、本体ケース１に配置されて上下動できる枠体６１とを含む。枠体６１を操作具６２で上下に切り換え操作して、かみそりヘッド２を、通常の浮動位置Ｒ１と、弾性材３１によるかみそりヘッド２の押し下げ反力が増強された少なくとも１個の規制位置Ｒ２とに上下操作できるようにする。
【０００８】
上記の切換機構Ｒは、本体ケース１の外面に設けた操作具６２と、本体ケース１に配置されて上下動できる枠体６１とを含む。枠体６１を操作具６２で上下に切り換え操作して、かみそりヘッド２を、全浮動を許す浮動位置Ｒ１と、浮動動作を規制する少なくとも１個の規制位置Ｒ２とに上下操作する。
【０００９】
かみそりヘッド２を構成するモーター台２２の下部に、突起８１を備えた一対の脚片８０を突設する。枠体６１は、突起８１と係合する係合部６７を備えた一対の腕部６４と、腕部６４どうしを繋ぐ枠基部６５とを一体に備えている。枠体６１と、本体ケース１で左右スライド自在に案内支持した操作具６２とは、操作具６２の左右スライド動作を上下動作に変換するカム構造６３を介して連結する。
【００１０】
弾性材は、かみそりヘッド２を浮動支持するばね３１と、本体ケース１とかみそりヘッド２との間を水密状に封止する成形パッキン１５とからなる。
【００１１】
枠体６１は本体ケース１の前面壁と左右側壁との内面に沿って上下動自在に摺動案内する。モーター台２２の下部両側に設けた左右一対の脚片８０と、枠体６１の左右一対の腕部６４とは、かみそりヘッド２の前後中心に位置する突起８１と溝６７を介して連結する。以て、かみそりヘッド２を前後、および左右方向方向へも浮動できるようにする。
【００１２】
カム構造６３は、操作具６２の内面に回転自在に軸支したローラー７５と、枠基部６６に設けられて、前記ローラー７５で押し下げ操作されるカム部６８とからなる。
【００１３】
枠体６１は金属板材を素材とするプレス成形品からなり、その枠基部６６に階段状のカム部６８を形成する。
【００１４】
本体ケース１の前面に設けた内外壁１ａ・１２ａの間に枠体６１を収容して、枠体６１を上下スライド自在に案内支持する。外壁１２ａの外面に配置した操作具６２を、外壁１２ａに設けたスライド溝７４と、内壁１ａに設けたローラー７５用のガイド凹部７６とで左右スライド自在に案内支持する。
【００１５】
本体ケース１の前面に設けた内外壁１ａ・１２ａのいずれか一方に、他方の壁と接当して両壁１ａ・１２ａの対向間隔を一定に維持するリブ７１を設ける。このリブ７１で枠体６１を左右遊動不能にスライド案内する。
【００１６】
【発明の作用効果】
本発明では、浮動支持したかみそりヘッド２の浮動状態を切換機構Ｒで切り換えて、その上下位置を複数段に変更することにより、ひげの長さや肌の状態等に応じて、かみそりヘッド２の押し下げ反力を複数段に変更できる。従って、本発明の電気かみそりによれば、かみそりヘッド２の押し下げ反力を小さくする場合には、かみそりヘッド２を肌に押し付ける際に、肌に対して外刃１０をソフトに押圧し密着させることができ、肌のストレスを緩和できる。また、かみそりヘッド２を切換装置Ｒで切り換えて、かみそりヘッド２の押し下げ反力を大きく設定する場合には、かみそりヘッド２の沈み込み動作を規制できるので、かみそりヘッド２を肌に押し付ける際に、外刃１０を肌により強く押し付けて密着させることができ、従って深ぞりが可能となる。なお、かみそりヘッド２の押し下げ反力を複数段に変更することには、全浮動を許す状態と、かみそりヘッド２を全浮動ストロークの全部あるいは中途部まで下降してその状態を保持することと、かみそりヘッド２を任意の位置で移動不能にロックした状態とのいずれをも含むこととする。
【００１７】
かみそりヘッド２を切換機構Ｒで、通常の浮動位置Ｒ１と、弾性材３１によるかみそりヘッド２の押し下げ反力が増強された少なくとも１個の規制位置Ｒ２とに上下操作できる電気かみそりによれば、規制位置Ｒ２において、かみそりヘッド２の押し下げ反力を大きくして、外刃１０を肌により強く押し付けて密着させ、深ぞりすることができる。なお、かみそりヘッド２の押し下げ反力を増強した状態には、かみそりヘッド２を全浮動ストロークの全部あるいは中途部まで下降してその状態を保持することと、かみそりヘッド２を任意の位置で移動不能にロックした状態とのいずれもが含まれる。
【００１８】
本体ケース１に設けた枠体６１と操作具６２とで切換機構Ｒを構成し、枠体６１を操作具６２で上下に切り換え操作して、かみそりヘッド２を、浮動位置Ｒ１と、少なくとも１個の規制位置Ｒ２とに上下操作する電気かみそりによれば、切換機構Ｒの構造を簡素化して、その製作コストを減少できる。
【００１９】
本体ケース１で案内支持した操作具６２の左右スライド動作を、カム構造６３を介して枠体６１の上下動作に変換し、枠体６１でモーター台２２の下部に設けた一対の脚片８０を突起８１を介して下降操作する切換機構Ｒによれば、かみそりヘッド２を下降操作するとき、その周面の対向２箇所において枠体６１の操作力を伝えることができるので、安定した状態でかみそりヘッド２の浮動状態を切り換え操作でき、例えば、切り換え操作途中のかみそりヘッド２が傾動して、本体ケース１に引っ掛かるなどの動作不良を一掃できるうえ、操作具６２を左右に切り換え操作するだけの簡単な動作で、かみそりヘッド２を浮動位置Ｒ１と規制位置Ｒ２とに切り換えることができる。
【００２０】
かみそりヘッド２を浮動支持するばね３１の弾性力に加えて、本体ケース１とかみそりヘッド２との間を水密状に封止する成形パッキン１５の弾性を利用してかみそりヘッド２を浮動支持すると、ばね３１のみでかみそりヘッド２を支持する場合に比べて、かみそりヘッド２が沈み込むときの反力特性を好適化できる。ばね３１の張力特性は直線的に変化するが、成形パッキン１５の場合には、その撓み量が増えるほど変形応力が急増し、変形応力は２次曲線状に変化する。従って、かみそりヘッド２の沈み込みストロークが増えれば増えるほど、押し下げ反力を大きくでき、かみそりヘッド２の肌に対する追随性を高めて円滑なひげそりを行うことができる。
【００２１】
枠体６１を本体ケース１の前面壁と左右側壁との内面に沿って配置し、その一対の腕部６４に設けた溝６７を左右一対の脚片８０に連結する切換機構Ｒによれば、上下浮動できるかみそりヘッド２を、突起８１を中心にして前後、および左右方向方向へも浮動可能に支持できるので、かみそりヘッド２の肌に対する追随性を高めて円滑なひげそりを行うことができる。多くの場合、本体ケース１の左右幅が前後幅より大きく設定されるので、かみそりヘッド２の前後を枠体６１で下降操作する場合に比べて、腕部６４の長さを短くして枠基部６６に作用するモーメントを最小限化できる、その分だけ枠体６１を薄く、小さく形成して、切換機構Ｒをコンパクト化できる。
【００２２】
操作具６２の内面に軸支した回転自在なローラー７５と、このローラー７５で押し下げ操作されるカム部６８とで構成したカム構造６３によれば、操作具６２に同行して回転するローラー７５でカム部６８を介して枠体６１を押し下げ操作できるので、枠体６１を確実に、しかもより小さな操作力で軽快に切り換え操作できるうえ、ロック機構などの位置保持構造を設ける必要もなく、かみそりヘッド２を規制位置Ｒ２に位置保持できるので、その分だけ切換機構Ｒの構造を簡素化できる。
【００２３】
プレス成形品からなる枠体６１の枠基部６６に、階段状のカム部６８を形成した切換機構Ｒによれば、浮動位置Ｒ１と規制位置Ｒ２との位置の切り換えを明確化して、中途半端な位置にかみそりヘッド２が位置保持されるのを防止できるうえ、かみそりヘッド２を一瞥するだけで現在の切り換え状態を確認できる。
【００２４】
本体ケース１の前面に設けた内外壁１ａ・１２ａで枠体６１を上下スライド自在に案内支持し、操作具６２を外壁１２ａに設けたスライド溝７４と、内壁１ａに設けたローラー７５用のガイド凹部７６とで左右スライド自在に案内支持する切換装置Ｒによれば、切り換え操作時における枠体６１の前後振れを内外壁１ａ・１２ａで規制し、さらに、操作具６２をスライド溝７４とガイド凹部７６とで支えて左右にスライド案内でき、切換機構Ｒの切り換え動作を円滑化できる。
【００２５】
内外壁１ａ・１２ａのいずれか一方に設けたリブ７１で、他方の壁との対向間隔を一定に維持するケース構造によれば、外壁１２ａに外力が作用するような場合にも、内外壁１ａ・１２ａの対向間隔を一定に維持して、枠体６１を安定した状態で上下スライド可能に案内支持でき、従って切換機構Ｒの切り換え動作を円滑化できる。
【００２６】
先のリブ７１で枠体６１を左右遊動のみ不能に移動規制すると、枠体６１が傾動しながら上下動するのを防いで、左右の腕部６４を均等に下降移動でき、従って、切換機構Ｒの切り換え動作を円滑化できる。
【００２７】
【実施例】
図１ないし図１３は本発明に係る水洗い式の電気かみそりの実施例を示す。図２ないし図５において、電気かみそりは、本体ケース１とその上部に設けたかみそりヘッド２とを有し、本体ケース１の前面に縦長の表示パネル３を設け、その上下にモーター起動用のスイッチボタン４や、運転モードを切り換えるモード切換ボタン５、および両ボタン４・５の切り換え状態を表示する表示灯６などを設けてなる。表示パネル３の上方には、操作具  が左右スライド自在に設けてある。本体ケース１の後面には、きわぞり刃７と、きわぞり刃７を起伏操作するスライドノブ８が設けてある。かみそりヘッド２には前後一対の内刃９および外刃１０と、センター刃１１とが設けてある。
【００２８】
かみそりヘッド２より下側の本体部は、上下端が開口する異形筒形の本体ケース１と、その内部に上面側から差し込み装填される電装品ユニット１３と、ケース下面側から組み付けられる底ケース１４と、本体ケース１の前面に係合固定される樋体状の前カバー１２とからなり、電装品ユニット１３の上部にかみそりヘッド２が成形パッキン１５を介して固定される。
【００２９】
電装品ユニット１３を本体ケース１内に装填し、電装品ユニット１３と本体ケース１に内嵌した底ケース１４とをビスで締結し、先の成形パッキン１５を本体ケース１の内面に密接させ、さらに底ケース１４側の締結部をＯリングやパッキンでシールすることにより、本体ケース１内への水の浸入を阻止し、かみそりヘッド２の水洗いを可能としている。電装品ユニット１３は、プラスチック成形された内フレーム１６にモーター１７、二次電池１８、スイッチやＬＥＤ、および電子部品等が実装された回路基板１９などを組み付けてなる。モーター１７の出力軸１７ａの部分には水密用のパッキン２０が設けてある。図９に示すように、前カバー１２の前面には縦長の開口１２ｂが開口してあり、先の表示パネル３がこの開口１２ｂからカバー外面に露出させてある。
【００３０】
図４においてかみそりヘッド２は、モーター１が固定されるモーター台２２と、それぞれ逆門形に形成されるヘッドフレーム２３と、内刃支持台２４と、内刃フレーム２５と、外刃ホルダー２６と、これらの外殻体に組まれる多数の部品などで構成する。先の内刃９は内刃フレーム２５に、外刃１０とセンター刃１１とは外刃ホルダー２６にそれぞれ組み付けてある。かみそりヘッド２の下部には第１伝動室２７が、さらにその一側部には第２伝動室２８がそれぞれ区画してある。両伝動室２７・２８は、後述するように隔壁２９で密閉状に区画してある。
【００３１】
モーター台２２は、前後壁と左右壁とで囲まれた上面が開口する枠体からなり、その下面にモーター１７と、モーターホルダー３０が固定してある。モーター台２２の両側下部の前後中央には左右一対の脚片８０が突設され、その突端外側面に突起８１が形成してある。後述するように、かみそりヘッド２の浮動状態は脚片８０を介して規制される。図５に示すように、モーター１７の下半分に外嵌固定されるモーターホルダー３０は、内フレーム１６に対して上下動自在に支持され、さらに左右一対の圧縮コイルばねからなるばね３１（弾性材）で押し上げ付勢されている。つまり、かみそりヘッド２の全体は、内フレーム１６を介して本体ケース１に対して前後、左右、および上下方向へ浮動可能に支持してあり、これらの動きを許すために、モーターホルダー３０と内フレーム１６の間、および本体ケース１とかみそりヘッド２の間に、それぞれ浮動隙間を設けている。モーター台２２とモーターホルダー３０との間は、先の成形パッキン１５で密閉されており、この成形パッキン１５も、かみそりヘッド２の重量の一部を浮動支持するための弾性材として機能している。
【００３２】
ヘッドフレーム２３は、下向きに開口するケース部３２と、ケース部３２の左右両端に立設した側壁３３とを有し、ケース部３２をモーター台２２に蓋合わせ状に接合固定することにより、両者２２・３２の接合面間に第１伝動室２７を区画している。この接合状態において側壁３３と隔壁２９とは面一状になっており、これら両者２９・３３と、これらに被せ付けられるカバー３４とで第２伝動室２８を区画している。カバー３４は、側壁３３に着脱可能に係合固定してある。右方のカバー３５には、外刃ホルダー２６をロック解除操作するための解除ボタン３６が設けてある。
【００３３】
図４において内刃支持台２４は、上向きに開口する区画を備えた台基部２４ａと、その左右両端から立設した左右一対の腕２４ｂと、台基部２４ａの上面開口を塞ぐ蓋体２４ｃとからなる。左右の腕２４ｂに設けた軸をヘッドフレーム２３の側壁３３の上部で軸支することにより、内刃支持台２４は前後揺動自在に、つまりヘッドフレーム２３に対して首振可能に軸支される。一対の腕２４ｂの間に、後述する内刃フレーム２５が着脱自在に圧嵌係合される。台基部２４ａの内部には、内刃支持台２４に外嵌装着した外刃ホルダー２６を、抜け外れ不能にロック保持するためのロック機構と、センター刃用の振動子５０とが設けられる。
【００３４】
内刃フレーム２５は、基壁３８と、基壁３８の左右両端に立設した一対の側壁３９とを有し、両側壁３９の上端間に前後一対の内刃９をそれぞれ回転自在に軸支している。図４に向かって左方の内刃軸には小直径の内刃歯車４０が固定してあり、この歯車４０が内刃フレーム２５に設けた受動歯車４１と噛み合うことにより、モーター動力を前後の内刃９へ同時に伝えるようになっている。内刃清掃のために、各内刃９の下方に回転ブラシ４２を配置し、その左右端を側壁３９に組み付けたスライドピースで回転自在に軸支している。内刃フレーム２５は、内刃支持台２４に対してその上方から係合装着される。
【００３５】
モーター１７の動力は、第１の伝動室２７に収容したギヤ群Ｇを介して、最初は横向きに、次いで第２の伝動室２８に収容した巻掛伝動機構で上向きに伝動され、受動歯車４１と内刃歯車４０を介して前後一対の内刃９へと伝える。図６においてギヤ群Ｇは、モーター動力を減速して伝動する４個の平歯車Ｇ１〜Ｇ４と、隔壁２９で水平に軸支された中間軸４４とギヤ群Ｇの終段ギヤＧ４との間に設けた一対の傘歯車４５・４６とで構成する。中間軸４４の両端は、第１・第２の各伝動室２７・２８に突き出ており、その一端に受動側の傘歯車４６を固定し、他端に巻掛伝動機構の原動プーリー５２を固定する。ギヤ群Ｇから生じるギヤ騒音が、第１の伝動室２７から第２の伝動室２８へ素通しで伝播するのを防ぐために、両室２７・２８の間を隔壁２９で密閉状に区分している。モーター１７の出力軸１７ａに固定される初段の平歯車Ｇ１の上部に２個の偏心カム（回転駆動体）４７・４８を設け、これらの偏心カム４７・４８できわぞり刃用の振動子４９と、センター刃用の振動子５０とを同時に往復駆動できるようにしている。
【００３６】
図８に示すように、巻掛伝動機構は、中間軸４４に固定した原動プーリー５２と、終段ギヤ軸５３に固定した従動プーリー５４と、両プーリー５２・５４に巻き掛けたタイミングベルト５５と、タイミングベルト５５の弛み側移行軌跡の外側に配置したテンション体５６とで構成する。テンション体５６は軸５７のまわりに前後揺動でき、ばね５８で反時計回転方向へ揺動付勢されて、先端のローラ５９がタイミングベルト５５に外接している。
【００３７】
先に説明したように、かみそりヘッド２は本体ケース１に対して浮動自在に支持してあるが、この浮動動作を規制するために、かみそりヘッド２と本体ケース１との間に、かみそりヘッド２の浮動ストロークを切り換える切換機構Ｒを設けている。図９において切換機構Ｒは、本体ケース１と前カバー１２との間に配置した枠体６１と、前カバー１２の前面上部に配置した操作具６２と、操作具６２の左右スライド動作を上下動作に変換するカム構造６３と、枠体６１の動作を受け継ぐ左右一対の脚片８０などで構成する。
【００３８】
図９において、枠体６１は左右一対の腕部６４と、両腕部６４どうしを傾斜壁６５を介して繋ぐ枠基部６６とを一体に備えたステンレス製のプレス金具からなる。各腕部６４には、先の脚片８０の突起８１と係合する縦長の溝（係合部）６７が通設してある。枠基部６６の中央上縁にはカム部６８を形成し、その下縁に下向きの切欠６９を形成する。
【００３９】
図９および図１０に示すように、枠体６１は、腕部６４の溝６７が脚片８０の突起８１と係合する状態で、本体ケース１の前壁と左右側壁の外面開口縁に沿って配置し、本体ケース１と前カバー１２とで上下動のみ自在に摺動案内する。詳しくは、本体ケース１の前壁（内壁）１ａと前カバー１２の上側壁部（外壁）１２ａの左右に設けたガイド部７８とで枠基部６６を前後に挟んで、枠基部６６が内壁１ａに沿って上下摺動できるようにし、さらに、前記内壁１ａに突設した左右一対のリブ７１（図９および図１１参照）で、切欠６９の垂直の縦側縁７２を案内して、枠体６１が左右に傾動するのを規制している。上下摺動時には、傾斜壁６５が内壁１ａの両側に位置する部分円弧状のコーナー部７９で受け止められており、このことも枠体６１が左右に傾動するのを規制することに役立っている。先のリブ７１は外壁１２ａの内面に接当して、内壁１ａと外壁１２ａとの間隔を一定に保持している。
【００４０】
操作具６２は、左右横長のスライドノブからなり、外壁１２ａに設けたスライド溝７４に沿って左右スライドできる。カム構造６３は、操作具６２の内面に配置されて、回転自在に軸支した筒状のローラー７５と、先の枠基部６６に設けたカム部６８とからなる。図７に示すようにローラー７５は操作具６２の内面に設けた爪６２ａで回転自在に係合保持されており、その周面の段部がスライド溝７４の開口内縁と接当して、操作具６２を脱落不能に保持している。前カバー１２に操作具６２を組み付けた状態において、ローラー７５の周面はカム部６８と交差し、さらに内壁１ａの上縁に設けたガイド凹部７６で受け止められている。つまり、操作具６２は、前カバー１２の前面と、スライド溝７４と、ガイド凹部７６の三者で直接、あるいはローラー７５を介して間接的に案内支持されている。
【００４１】
カム部６８は、階段状に形成してあり、図１１に示すように常態においては下側の段部６８ａにローラー７５が嵌り込んでおり、このとき突起８１は溝６４の上端に位置している。この状態から操作具６２を、図１２に示すように、図に向かって右側へスライド操作すると、枠体６１がばね３１の付勢力に逆らって押し下げ操作され、上側の段部６８ｂがローラー７５で受け止められて、上昇不能に保持される。つまり、かみそりヘッド２は、全浮動が可能な浮動位置Ｒ１（図１１および図５に示す状態）と、浮動動作が規制された規制位置Ｒ２（図１２および図１３に示す状態）とに切り換えられる。因みに、この実施例におけるかみそりヘッド２は、浮動位置Ｒ１において約４mm下降移動できるが、規制位置Ｒ２においては、下降ストロークが1.５mmに規制される。かみそりヘッド２を全浮動ストローク分だけ押し込んだ状態においてはばね３１が全圧縮されるので、それ以上かみそりヘッド２を下降操作できない。このとき、突起８１は溝６７の下端と僅かな隙間を介して対向している。
【００４２】
電気かみそりの使用時には、肌やひげの状態に応じて操作具６２をソフト位置とハード位置のいずれかに切り換えて、かみそりヘッド２の押し下げ反力を硬軟いずれかに設定する。例えば、普通にひげそりを行う場合には、操作具６２をソフト位置に位置させて、かみそりヘッド２を全浮動できるようにし、かみそりヘッド２の沈み込みを容易化して肌に密着しやすくする。また、深ぞりを行う場合には、操作具６２をハード位置へスライド操作してかみそりヘッド２の押し下げ反力を大きくすることによって、深ぞりできるようにする。規制位置Ｒ２においては、ばね３１が圧縮された状態でかみそりヘッド２を位置保持するので、より小さな押し付け力でかみそりヘッド２を肌に強く押し付けることができ、その結果、深ぞりできるのである。このとき、腕部６４の下端は本体ケースで下降不能に受け止められている。
【００４３】
上記の実施例では、かみそりヘッド２を全浮動ストローク分だけ押し込んだ状態においてばね３１が全圧縮されることとしたが、ばね３１の全圧縮ストロークは、かみそりヘッド２の全浮動ストロークより大きく設定することができる。この場合には、図１４に想像線で示すように、浮動位置Ｒ１において、かみそりヘッド２を溝６７の上下長さ分だけ押し下げできるのはもちろん、規制位置Ｒ２においてもかみそりヘッド２を溝６７の上下長さ分だけ押し下げできるように構成することができる。このように切換機構Ｒは、浮動位置Ｒ１と規制位置Ｒ２との浮動ストロークを一致させて、ばね３１の反力のみを大小に切り換える形態を取ることができる。
【００４４】
上記のように浮動位置Ｒ１と規制位置Ｒ２との浮動ストロークを一致させる場合には、図１５に示すように、カム部６８を溝状に形成して、操作具６２を規制位置側へ切り換えた状態において、ローラー７５をカム部６８の上下の溝内縁で受け止めて、枠体６１を上下動不能にロック保持できるようにすることができる。この場合には、先の実施例で説明したように、腕部６４の下端を本体ケース１で受け止め規制する必要はない。
【００４５】
上記の実施例では、操作具６２を前カバー１２で左右スライド自在に支持したので、その左右動作を上下動作に変換する必要上、操作具６２と枠体６１との間にカム構造６３を設けたが、操作具６２を上下方向へ切り換え操作する場合には、カム構造を省略することができる。ただし、この場合には、操作具６２を規制位置Ｒ２に位置保持するための構造を付加する必要があり、例えば操作具６２と本体ケース１との間に節動機構や位置ロック機構などを設けて、かみそりヘッド２がばね３１で浮動位置Ｒ１に押し戻されるのを阻止できるようにする。操作具６２は左右または上下スライドする以外に、押しボタン状にあるいは回転ダイヤル状等に構成することができる。
【００４６】
上記の実施例では、突起８１を脚片８０に設け、突起８１と係合する溝（係合部）６７を枠体６１の腕部６４に設けたが、突起８１を腕部６４に設け、溝６７を脚片８０に設けることができる。また、枠体６１の腕部６４に設ける係合部６７は、必ずしも溝である必要はなく、切欠や凹部であってもよく、要はかみそりヘッド２の下降移動を許す状態で、脚片８０と枠体６１とが連結してあればよい。切換機構Ｒは、規制位置Ｒ２において、かみそりヘッド２を下降不能にロック保持できるように構成することができ、必要があれば浮動位置Ｒ１において、かみそりヘッド２を下降不能にロック保持する構造であってもよい。
【００４７】
枠体６１に設けるカム部６８は、２段以上、３段でも４段でも必要な段数に形成することができる。枠体６１はカム構造６３以外に、揺動レバーで下降操作できる。カム構造６３は、溝カムや板カム等をカム要素にして構成することができる。枠体６１は本体ケース１の内面に配置することができる。成形パッキン１５は膜状である必要はなく、ブロック状に形成してあってもよい。本発明は内刃９が一個のみ設けてある電気かみそりや、内刃が縦軸まわりに回転する電気かみそりにも適用できる。かみそりヘッド２の内刃支持台２４および内刃フレーム２５は、ヘッドフレーム２３で首振り不能に支持してあってもよい。本発明は、レシプロ式の内刃を備えた電気かみそりにも適用できる。
【図面の簡単な説明】
【図１】かみそりヘッドと切換機構の関係構造を示す概略正面図である。
【図２】電気かみそりの正面側の斜視図である。
【図３】本体ケースのみを断面した分解正面図である。
【図４】かみそりヘッドの分解正面図である。
【図５】かみそりヘッドの縦断正面図である。
【図６】ギヤ伝動機構を示す断面図である。
【図７】かみそりヘッドの縦断側面図である。
【図８】巻掛伝動機構の側面図である。
【図９】切換機構の分解斜視図である。
【図１０】図５におけるＡ−Ａ線断面図である。
【図１１】かみそりヘッドを浮動位置に切り換えた状態の概略正面図である。
【図１２】かみそりヘッドを規制位置に切り換えた状態の概略正面図である。
【図１３】かみそりヘッドを規制位置に切り換えた状態の縦断正面図である。
【図１４】切り換え構造の別実施例を示す説明図である。
【図１５】切り換え構造の更に別実施例を示す正面図である。
【符号の説明】
１  本体ケース
２  かみそりヘッド
１５  成形パッキン
２２  モーター台
３１  ばね（弾性材）
６１  枠体
６２  操作具
６３  カム構造
６４  脚部
６６  枠基部
６７  溝（係合部）
６８  カム部
Ｒ  切換機構
【図１】
0004858931.tif 000002
【図２】
0004858931.tif 000003
【図３】
0004858931.tif 000004
【図４】
0004858931.tif 000005
【図５】
0004858931.tif 000006
【図６】
0004858931.tif 000007
【図７】
0004858931.tif 000008
【図８】
0004858931.tif 000009
【図９】
0004858931.tif 000010
【図１０】
0004858931.tif 000011
【図１１】
0004858931.tif 000012
【図１２】
0004858931.tif 000013
【図１３】
0004858931.tif 000014
【図１４】
0004858931.tif 000015
【図１５】
0004858931.tif 000016